(57)【要約】    【目的】  机を選ばず取付けられる机上アームスタンドにおいて、重量物を取付られ、アーム長を長く出来、各機器、器具を取付られるようにする。    【構成】  机の隅に、机取付具a1を締付ボルト4により机へ取付けて、机取付具a1へ更にアーム保持具10を取付て、アーム保持具10にアーム7を挿入しアーム止具12によりねじd13にて高さを任意の位置に固定する。アーム7は回転するので、回転をねじe14にて任意の位置にて固定するか、自由に回転するようにする。アーム7の先端または途中に、取付具8をねじb9により任意の位置に固定し、ディスプレイ、集煙器具等が取付けられる。【選択図】  図1
2004275746.tif 000002
【特許請求の範囲】
【請求項１】
机の天面の隅縁部形状の机の天面と机の2側面の合計３面に対応し、３枚の板が繋がった３面を有する机取付具を机隅縁部へ配置して、この机取付具の下面に締付けボルトを配置し机天面板の下面より前記締付けボルトにより机天面板を挟み込んで取付ることを特徴とした机上アームスタンド取付具
【請求項２】
机の天面の隅縁部形状の机の天面と机の2側面の合計３面に対応し、３枚の板が繋がった３面を有する机取付具において、この机取付具を机隅縁部に配置したときに、この机取付具を机の天面に固定するために用いる取付手段を更に有することを特徴とする机上アームスタンド取付具
【請求項３】
机の天面の隅縁部形状の机の天面と机の天面の隅縁部形状の机の天面の裏面と机の2側面の合計4面に対応し、4枚もしくは5枚の板が繋がった4面もしくは5面を有する机取付具を机隅縁部へ配置して、この机取付具下面に締付けボルトを配置し机天面板の下面より前記締付けボルトにより机天面板を挟み込んで取付ることを特徴とした机上アームスタンド取付具
【請求項４】
机の天面の隅縁部形状の机の天面と机の天面の隅縁部形状の机の天面の裏面と机の2側面の合計4面に対応し、4枚もしくは5枚の板が繋がった4面もしくは5面を有する机取付具において、この机取付具を机隅縁部に配置したときに、この机取付具を机の天面に固定するために用いる取付手段を更に有することを特徴とする机上アームスタンド取付具
【請求項５】
請求項1または請求項2または請求項3または請求項4に記載の机上アームスタンド取付具の側面に筒形状をしたアーム保持具をねじなどの締結具にて取付け、もしくは、前記机上アームスタンド取付具と一体化した前記アーム保持具の筒部に棒形状のアームを挿入し、前記アームが前記アーム保持具を上下に移動もしくは、前記アームが前記アーム保持具を中心に回転できることを特徴とした机上アームスタンド
【請求項６】
請求項5に記載の机上アームスタンドのアームを中空棒形状として,この中空棒形状の中に電気配線や煙などを通すことを特徴とした机上アームスタンド
【請求項７】
請求項1または請求項2または請求項3または請求項4に記載の机上アームスタンド取付具とこの机上アームスタンド取付具に取付けられる筒形状としたアーム保持具とこのアーム保持具に挿入されるアームと、このアームに取付けられる取付具とを供える机上アームスタンド
【発明の詳細な説明】
【技術分野】
【０００１】
本発明は、重量物を取付けたアームを簡単に取付けることのできるアームスタンド取付具と重量物を取付けられ、回転、上下移動、長い、アームの机上アームスタンドに関するものである。
【背景技術】
【０００２】
照明と軽量ディスプレイ用のアームの長い机上アームスタンドはありましたが、重いディスプレイなどの重い物を取付けてアームが長く、簡単に取付けられる机上アームスタンド取付具及び机上アームスタンドがありませんでした。
【０００３】
【特許文献１】特許第３２８７４１０号公報
【特許文献２】特開平９−７３８０９号公報
【特許文献３】特開平８−２５５５０３号公報
【特許文献４】特開平８−２２２０２２号公報
【発明の開示】
【発明が解決しようとする課題】
【０００４】
机に簡単に重量物を取付られる机上アームスタンド取付具及びアーム長を長く出来、アームの移動、回転が出来る机上アームスタンド。
【課題を解決するための手段】
【０００５】
机上アームスタンドの机取付具が、３枚から5枚の金属板が繋がった３面から5面を有することにより机への荷重負担を3面から5面へ振り分けて机の荷重負荷を少なくし、棒形状のアームを中空形状にすることにより軽量で強度が有る長いアームとし、前記アームの保持具を筒形状にすることにより前記アームが上下移動及び回転が出来る物とした。
【発明の効果】
【０００６】
本机上スタンドがあれば、今まで困難であった大型のディスプレイもしくは、ディスプレイの複数取付が出来、アームが可動するので、自由な位置にてディスプレイを見ることが出来る。
【０００７】
集煙器具を取付られるので、家庭または店舗などで簡単に煙や一酸化炭素などが出る物の料理などが出来、調理器具などに本スタンドは依存していないために、さまざまな調理器具を利用でき、集煙の利用がないときは、邪魔にならない場所にアームを移動するとか、照明器具などを取付けることにより利用できる。
【０００８】
煙草などの煙は、机上に設置する機器もしくは、除煙機器を備えた机、大掛かりな除煙装置が必要だったが
本スタンドにより一般の机を利用できて、アーム上に集煙機具を取付けることにより机上を有効利用できる。
【発明を実施するための最良の形態】
【０００９】
机天面の隅縁部に机取付具を締付けボルトにより取付て、前記机取付具側面に筒形状をしたアーム保持具をねじなどの締結具にて取付け、もしくは、前記机取付具と一体化した前記アーム保持具にアームを挿入して、前記アームの外形に筒形状をした固定具をねじなどの締結具にて取付て前記アームを前記アーム保持具に固定する。前記アームの先端もしくは前記アームの途中に集煙器具やディスプレイなどの機器器具を筒形状の取付具により前記アームに取付けます。
【００１０】
アームに取付られた集煙器具、ディスプレイ等は、アームの回転、アームの上下動、取付具移動により任意の位置に動きます。
【００１１】
アーム先端もしくはアーム途中に取付けられる集煙器具により集められた煙、一酸化炭素などはアームの中空棒内を通り除煙排出機器へ、もしくは室外へ排出されます。
【００１２】
アームの先端もしくはアームの途中に取付られるディスプレイから出る電気配線は、アームの中空棒内を通り、アームの下端より出てパソコン、DVDプレーヤーなどの制御機器、電源等へ繋がります。
【実施例】
【００１３】
図1は本発明装置の基本実施例を示し、図2はアームの取付方法を示したもので、図3図4図5図6は机上アームスタンド取付具の実施例を示し、図7図8は机上アームスタンドの実施例を示している。
【００１４】
図1に示す第1実施例について説明すると、机取付具a1へブラケット2をねじa3にて取付て、締付ボルト4をブラケット2へ取付けて、机天面板5の机隅縁部6へ机取付具a1を配置して、机取付具a1と締付ボルト4にて机天面板5を挟み込むことにより机取付具a1を取付ける。
【００１５】
アーム7の先端もしくは途中の任意の位置に、取付具8をねじb9により取付ける。
【００１６】
図2に示すアーム7の取付方法を説明すると、アーム保持具10をねじc11にて机取付具a1に取付けて、アーム止具12とアーム保持具10にアーム7を挿入し、ねじd13にて固定する。
アーム7は任意の高さにてねじd13により固定でき、アーム保持具10を中心としてアーム7は回転できる。アーム7の回転を止めたいときはねじe14にて固定できる。
【００１７】
アーム保持具10は、机取付具a1のX面15もしくは、Y面16のどちらにも取付けられることにより、机の隅縁部のどの位置にもアーム7を設置できる。
【００１８】
アーム7は、アーム保持具10への取付部に曲げがなければ、アーム7のアーム保持具10への取付部以外は逆L字形の他に、逆U字形、波形、曲げ無しなどの形状の物も取付けられることが出来る。
【００１９】
次に図3のアームスタンド取付具の実施例1について更に説明すると、机取付具a1は請求項1または請求項2に記載の机の天面の隅縁部形状の机の天面と机の2側面の合計３面に対応し、３枚の板が繋がった３面を有する机取付具a1として、机取付具a1へブラケット2をねじa3にて取付けて、ブラケケット2へ締付けボルト4を取付ける。
【００２０】
次に図4のアームスタンド取付具の実施例2について説明すると、机取付具b17は請求項1または請求項2に記載の机の天面の隅縁部形状の机の天面と机の2側面の合計３面に対応し、３枚の板が繋がった３面を有する机取付具b17として、机取付具b17の繋がる3面の角部分を切欠きa18として机の隅縁部6を露出するようにした。机の隅縁部6を露出させることにより机の天面に机取付具b17の尖った角を無くし、机の外観の見栄えを良くした。机取付具b17はブラケット2をねじa3にて取付けて、ブラケケット2へ締付けボルト4を取付けて、机取付具b17と締付ボルト4にて机天面板5を挟み込むことにより机取付具b17を取付ける。
【００２１】
次に図5のアームスタンド取付具の実施例3について説明すると、机取付具c19は請求項3または請求項4に記載の机の天面の隅縁部形状の机の天面と机の天面の隅縁部形状の机の天面の裏面と机の2側面の合計4面に対応し、4枚の板が繋がった4面を有する机取付具c19として、繋がる面を多くすることにより机取付具c19の強度を更に強くし、締付ボルト4を直接机取付具c19へ取付られるので部品点数が少なくてすむ。机取付具c19の下板へ締付けボルト4を取付けて、机取付具c19と締付ボルト4にて机天面板5を挟み込むことにより机取付具c19を取付ける。
【００２２】
次に図6のアームスタンド取付具の実施例4について説明すると、机取付具d20は請求項3または請求項4に記載の机の天面の隅縁部形状の机の天面と机の天面の隅縁部形状の机の天面の裏面と机の2側面の合計4面に対応し、5枚の板が繋がった5面を有する机取付具d20として、面の繋がる角部分を切欠きb21として机の隅縁部6を露出するようにした。机の隅縁部6を露出させることにより机の天面に机取付具d20の尖った角を無くし、机の外観の見栄えを良くした。繋がる面を多くすることにより机取付具d20の強度を更に強くし、締付ボルト4を直接机取付具d20へ取付られるので部品点数が少なくてすむ。机取付具d20の下板へ締付けボルト4を取付けて、机取付具d20と締付ボルト4にて机天面板5を挟み込むことにより机取付具d20を取付ける。
【００２３】
次に図7の第5実施例について説明すると、取付具8へディスプレイ取付具22によりディスプレイ23を取付けることが出来、電気配線24と電源プラグ25がアーム7内を通りパソコン、ＤＶＤプレーヤーなどのディスプレイ制御機器26などに繋がる。
【００２４】
次に図8の第6実施例について説明すると、取付具8へ集煙器具27を取付けて集煙ダクト28を繋ぐことにより、タバコやガスコンロや七輪などの煙排出物29より排出される煙や一酸化炭素などを集めることが出来,この煙や一酸化炭素などはアーム7内を通り排煙ダクト30により空気清浄機などの除煙排出機器31へ繋がって煙を除くか、屋外へ排出される。
【図面の簡単な説明】
【００２５】
【図１】机取付式アームスタンドの実施方法を示した説明図である。（実施例1）
【図２】アームの取付方法を示した説明図である。（実施例1）
【図３】基本実施例の机上アームスタンド取付具を示した説明図である。(実施例1)
【図４】図3以外の机上アームスタンド取付具を示した説明図である。(実施例2)
【図５】図3以外の机上アームスタンド取付具を示した説明図である。(実施例3)
【図６】図3以外の机上アームスタンド取付具を示した説明図である。(実施例4)
【図７】机取付式アームスタンドのディスプレイ取付の実施方法を示した説明図である。（実施例5）
【図８】机取付式アームスタンドの集煙器具取付の実施方法を示した説明図である。（実施例6）
【符号の説明】
【００２６】
1机取付具a
2ブラケット
3ねじa
4締付ボルト
5机天面板
6机隅縁部
7アーム
8取付具
9ねじb
10アーム保持具
11ねじc
12アーム止具
13ねじd
14ねじe
15X面
16Ｙ面
17机取付具b
18切欠きa
19机取付具c
20机取付具d
21切欠きb
22ディスプレイ取付具
23ディスプレイ
24 電気配線
25電源プラグ
26パソコン、ＤＶＤプレーヤーなどのディスプレイ制御機器
27集煙器具
28集煙ダクト
29タバコ、ガスコンロ、七輪などの煙排出物
30排煙ダクト
31空気清浄機などの除煙排出機器
【図１】
2004275746.tif 000003
【図２】
2004275746.tif 000004
【図３】
2004275746.tif 000005
【図４】
2004275746.tif 000006
【図５】
2004275746.tif 000007
【図６】
2004275746.tif 000008
【図７】
2004275746.tif 000009
【図８】
2004275746.tif 000010